(57)【要約】【課題】乾燥洗濯機に備わっている機能を有効に活用して簡単な構造で、洗濯を行わずに花粉やほこりなども容易に除去でき、衣類に付着した煙草や食物などの臭いを簡単かつ確実に消去できる洗濯乾燥機を得る。【解決手段】回転翼４を有する洗濯兼脱水槽３を外箱１内に回転自在に配設し、乾燥行程時には洗濯兼脱水槽３内に温風を供給する手段を備える洗濯乾燥機において、花粉などを吸着する吸着手段である乾燥フィルター１６と保湿水供給手段である水の投入口１７とを設けた。【選択図】        図３
2006326046.tif 000002
【特許請求の範囲】
【請求項１】
回転翼を有する洗濯兼脱水槽を外箱内に回転自在に配設し、乾燥行程時には洗濯兼脱水槽内に温風を供給する手段を備える洗濯乾燥機において、花粉などを吸着する吸着手段と保湿水供給手段とを設けたことを特徴とする洗濯乾燥機。
【請求項２】
回転翼を有する洗濯兼脱水槽を外箱内に回転自在に配設し、乾燥行程時には洗濯兼脱水槽内に温風を供給する手段を備え、供給する温風の吹出し口周辺または温風の供給通路周辺に揮発性の抗酸化成分を含有する材料を搭載する洗濯乾燥機において、花粉などを吸着する吸着手段と保湿水供給手段とを設けたことを特徴とする洗濯乾燥機。
【請求項３】
回転翼を有する洗濯兼脱水槽を外箱内に回転自在に配設し、乾燥行程時には洗濯兼脱水槽内に温風を供給する手段を備える洗濯乾燥機において、洗濯兼脱水槽内の衣類を小さく攪拌しながら温風で洗濯兼脱水槽内の衣類に付着した花粉などを吹き飛ばす振り落とし行程と、衣類を大きく攪拌しながら温風と蒸気とで衣類に付着した臭気を消臭する攪拌行程とを設けたことを特徴とする洗濯乾燥機の運転方法。
【請求項４】
回転翼を有する洗濯兼脱水槽を外箱内に回転自在に配設し、乾燥行程時には洗濯兼脱水槽内に温風を供給する手段を備え、供給する温風の吹出し口周辺または温風の供給通路周辺に揮発性の抗酸化成分を含有する材料を搭載する洗濯乾燥機において、洗濯兼脱水槽内の衣類を小さく攪拌しながら温風で洗濯兼脱水槽内の衣類に付着した花粉などを吹き飛ばす振り落とし行程と、衣類を大きく攪拌しながら揮発性の抗酸化成分を含有する温風と蒸気とで衣類に付着した臭気を消臭する攪拌行程とを設けたことを特徴とする洗濯乾燥機の運転方法。
【発明の詳細な説明】
【技術分野】
【０００１】
本発明は、消臭機能を備えた洗濯乾燥機およびその消臭運転方法に関するものである。
【背景技術】
【０００２】
一般に衣類に付着した臭いは、洗濯することによって汚れとともに除去できるが、スーツやコートなど一般家庭では洗濯しにくい衣類については、従来、専門のクリーニング店に出したり、アイロンのスチームを当てることなどによって脱臭しており、手間を要した。
【０００３】
そこで、かかる不都合を解消するものとして、一般家庭で使用する洗濯機に脱臭機能を付与したものが提案されている（例えば特許文献１参照）。
【０００４】
これは、洗濯機に温風送風手段およびスチーム供給手段を設け、前期温風送風手段からの温風と、前記スチーム供給手段からのスチームとにより衣類の脱臭を行うようにしたもので、スチームを衣類に吹き付けるとともに温風を送風することにより、衣類に供給した水分を蒸発させることによって繊維に付いた臭いを取り除くものである。
【特許文献１】特開２００４−１６７１３１号公報
【発明の開示】
【発明が解決しようとする課題】
【０００５】
衣類に付着するものは、臭いだけではなく花粉やほこりなども多いが、前記従来例は脱臭を目的とするものであり、衣類に付着した花粉やほこりなどを除去する機能として格別のものは有しておらず、花粉やほこりなどの除去には有効に機能しない。
【０００６】
また、スチーム供給手段を別途格別に設ける必要があり、構造が複雑となり、コスト的にもアップするおそれがある。
【０００７】
本発明の目的は前記従来例の不都合を解消するものとして、乾燥洗濯機に備わっている機能を有効に活用して簡単な構造で、洗濯を行わずに花粉やほこりなども容易に除去でき、衣類に付着した煙草や食物などの臭いを簡単かつ確実に消去できる洗濯乾燥機を提供することにある。
【課題を解決するための手段】
【０００８】
本発明は前記目的を達成するものとして、請求項１記載の発明は、回転翼を有する洗濯兼脱水槽を外箱内に回転自在に配設し、乾燥行程時には洗濯兼脱水槽内に温風を供給する手段を備える洗濯乾燥機において、花粉などを吸着する吸着手段と保湿水供給手段とを設けたことを要旨とするものである。
【０００９】
請求項２記載の発明は、回転翼を有する洗濯兼脱水槽を外箱内に回転自在に配設し、乾燥行程時には洗濯兼脱水槽内に温風を供給する手段を備え、供給する温風の吹出し口周辺または温風の供給通路周辺に揮発性の抗酸化成分を含有する材料を搭載する洗濯乾燥機において、花粉などを吸着する吸着手段と保湿水供給手段とを設けたことを要旨とするものである。
【００１０】
請求項３記載の発明は、回転翼を有する洗濯兼脱水槽を外箱内に回転自在に配設し、乾燥行程時には洗濯兼脱水槽内に温風を供給する手段を備える洗濯乾燥機において、洗濯兼脱水槽内の衣類を小さく攪拌しながら温風で洗濯兼脱水槽内の衣類に付着した花粉などを吹き飛ばす振り落とし行程と、衣類を大きく攪拌しながら温風と蒸気とで衣類に付着した臭気を消臭する攪拌行程とを設けたことを要旨とするものである。
【００１１】
請求項４記載の発明は、回転翼を有する洗濯兼脱水槽を外箱内に回転自在に配設し、乾燥行程時には洗濯兼脱水槽内に温風を供給する手段を備え、供給する温風の吹出し口周辺または温風の供給通路周辺に揮発性の抗酸化成分を含有する材料を搭載する洗濯乾燥機において、洗濯兼脱水槽内の衣類を小さく攪拌しながら温風で洗濯兼脱水槽内の衣類に付着した花粉などを吹き飛ばす振り落とし行程と、衣類を大きく攪拌しながら揮発性の抗酸化成分を含有する温風と蒸気とで衣類に付着した臭気を消臭する攪拌行程とを設けたことを要旨とするものである。
【発明の効果】
【００１２】
本発明の乾燥洗濯機およびその運転方法は、洗濯兼脱水槽内の衣類を小刻みに反転させるだけで衣類に付着した花粉、ほこりや臭いを振り落とすことができ、また、衣類を大きく攪拌しながら温風と蒸気を衣類に当てることで、衣類に付着した臭いを容易に除去できる。そして、除去された花粉やほこりは吸着手段に吸着されるから、衣類に再び付着することはないものである。
【発明を実施するための最良の形態】
【００１３】
以下、図面について本発明の実施形態を詳細に説明する。図１は本発明の乾燥洗濯機の第１実施形態を示す縦断側面図で、洗濯乾燥機の全体構成から説明すると、外箱１内に水槽２を防振装置を介して揺動自在に配設し、この水槽２内に低部に攪拌翼４を設けた洗濯兼脱水槽３を回転自在に配設し、水槽２の上端縁には洗濯兼脱水槽３の上部の開口縁に取付けたバランサー６の上方を覆うようにして水槽カバー５が取付けてある。
【００１４】
水槽カバー５には内蓋７が取付けてあり、また、外箱１の上部開口には水槽カバー５の上方を覆うようにして蓋９を設けたトップカバー８が配設される。
【００１５】
水槽２の底部の下方にモータ１０を配設し、このモータ１０から下方に向けて突出する駆動軸に冷却用のモータファン１１を結合し、同じく水槽２の底部の下方に配設した減速機構１２の回転軸を前記モータ１０の駆動軸にベルト１３で連結した。
【００１６】
さらに、乾燥行程時に洗濯兼脱水槽３内に温風を供給する手段として、前記モータファン１１を覆うケーシングに一端を開口する送風ダクト１４を水槽２の外壁にそって立ち上げ、この送風ダクト１４の上端を水槽カバー５の開口縁に開口する。そして、加熱手段としてモータファン１１のケーシングの吐出口にヒータ１５を配設する。
【００１７】
かかる構成の洗濯乾燥機において、図３、図４に示すように花粉などを吸着する吸着手段として、内蓋７に形成した開口に乾燥フィルター１６を装着する。
【００１８】
また、図３に示すように洗濯兼脱水槽３に設けた予約洗剤の投入口１７を、衣類に付着した臭いを消臭するための保湿水供給手段とする。
【００１９】
かかる構成の洗濯乾燥機において、通常の洗濯行程や乾燥行程とは別に、消臭行程を設定する。この消臭行程は、衣類に付着した花粉やほこりなどの除去、衣類に付着した臭い（煙草、焼肉・てんぷら・お好み焼きなどの食べ物、酒、部屋干し、汗、ペットなどによる臭い）を除去するもので、洗濯するまでもなく、例えば帰宅時にほこりや臭いだけを簡単に除去したい場合、部屋干しにより付着した臭いや外に干した衣類に付着した花粉などを簡単に除去したい場合に選択することができるものとして設定した。
【００２０】
この消臭行程に設定するには、洗濯兼脱水槽３に設けてある投入口１７に２００ｍｌ程度の水を入れ、洗濯兼脱水槽３の下方底部に保湿水として貯留し、洗濯兼脱水槽３内に消臭したい衣類を投入する。
【００２１】
次いで、トップカバー８に設けてある操作パネルから消臭コースを選択し、スタートボタンをオンすれば、消臭行程が開始する。この消臭行程は、下記の表１に示すように例えば、表１に示すように洗濯兼脱水槽３をフリーの状態としておき、この状態で最初に回転翼４を小刻みに反転して衣類に付着した花粉やほこりをふるい落とすと同時に、ヒータ１５に通電して送風ダクト１４から送られる温風を衣類に当て、花粉やほこりを吹き飛ばす。
【００２２】
次に回転翼４を大きく反転して衣類を攪拌し入れ替えながら温風と蒸気とを衣類に吹きかけて、臭いを除去するとともに花粉やほこりなどを乾燥フィルター１６に付着させる。
【００２３】
最後にほぐし運転を行い、排水する。かかる消臭行程では蒸気を吹きかけることで衣類のしわ発生を防止できると同時に、過乾燥や過加熱を防止でき繊維を保護できる。
【００２４】
【表１】
2006326046.tif 000003
【００２５】
図２は第２実施形態を示し、前記第１実施形態の構成に加えて、送風ダクト１４の吹出口に揮発性の抗酸化成分を含有する材料としてハーブ１８を搭載した。この揮発性の抗酸化成分を含有する材料は衣類に発生する黄ばみを抑制し、また、衣類の防黴、防臭効果が期待できるものとして、例えば天然素材のローズマリーなどのハーブ１８を使用し、このような材料を粉末の状態にしてティーバッグのようなカートリッジ方式の容器に充填する。
【００２６】
これにより、消臭行程で送風ダクト１４から洗濯兼脱水槽３内に供給される温風は抗酸化剤の中を通り抜けることになるから、抗酸化剤の成分を含んだものとなり、衣類に付着した臭いは風と蒸気により除去されるだけでなく、抗酸化剤により臭気抑制が図られる。
【００２７】
さらに、抗酸化剤により熱による酸化も抑制される。
【００２８】
かかる消臭行程による消臭効果は、１５分間の運転の場合、部屋干しの場合に比較して、図５のグラフに示すように実験の結果、約５倍の臭い除去効率が得られた。実験方法は、臭い：煙草（１ｍ３ボックスに１５分間煙草５本で臭い付け）  素材：ウールの腹巻  水：２００ｍｌを投入口１７に入れる  ハーブ有り  とした。
【図面の簡単な説明】
【００２９】
【図１】本発明の洗濯乾燥機およびその運転方法の第１実施形態を示す縦断側面図である。
【図２】本発明の洗濯乾燥機およびその運転方法の第２実施形態を示す縦断側面図である。
【図３】本発明の洗濯乾燥機の第１、第２実施形態を示す乾燥フィルターおよび水の投入口部分の斜視図である。
【図４】本発明の洗濯乾燥機の第１、第２実施形態を示す乾燥フィルター部分の斜視図である。
【図５】本発明の消臭行程による消臭効果を示すグラフである。
【符号の説明】
【００３０】
１  外箱                        ２  水槽
３  洗濯兼脱水槽                ４  回転翼
５  水槽カバー                  ６  バランサー
７  内蓋                        ８  トップカバー
９  蓋                          １０  モータ
１１  モータファン              １２  減速機構
１３  ベルト                    １４  送風ダクト
１５  ヒータ                    １６  乾燥フィルター
１７  投入口                    １８  ハーブ
【図１】
2006326046.tif 000004
【図２】
2006326046.tif 000005
【図３】
2006326046.tif 000006
【図４】
2006326046.tif 000007
【図５】
2006326046.tif 000008